(57)【要約】【課題】従来のＧＰＳユニット又は基地局検出ユニットを用いることなく位置検出をして視聴者の操作負担及び選局の迅速化をはかると共に、受信装置の大型化及びコスト高を抑止し、また、受信装置の消費電力を節約して使用可能時間の長期化をはかることができる放送受信方法及び放送受信装置を提供する。【解決手段】受信装置が、移動経路、移動速度及び移動開始からの経過時間の関係に基づいて自位置を算出し、算出した自位置が異なる受信エリアに遷移したと判断したとき、該受信エリア内で放送を行う放送局の識別コードを読み出し、読み出した識別コードに基づいて選局して地上波放送を受信する。【選択図】図７
2008271144.tif 000002
【特許請求の範囲】
【請求項１】
地上波放送の受信が可能な複数の受信エリアについて、各受信エリアの位置情報と該受信エリア内で放送を行う放送局の識別コードとを対応付けて予め記憶してある移動可能な受信装置で、移動先の受信エリア内で放送を行う放送局の識別コードに基づいて選局して地上波放送を受信する放送受信方法において、
移動経路及び移動速度を含む移動情報を受け付け、受け付けた移動情報及び移動開始からの経過時間の関係に基づいて自位置を順次算出し、算出した自位置と各受信エリアの位置情報とを比較して自位置が異なる受信エリアに遷移したと判断したとき、該受信エリア内で放送を行う放送局の識別コードを読み出すことを特徴とする放送受信方法。
【請求項２】
地上波放送の受信が可能な複数の受信エリアについて、各受信エリアの位置情報と該受信情報内で放送を行う放送局の識別コードとを対応付けて記憶する記憶手段と、移動した受信エリア内で放送を行う放送局の識別コードに基づいて選局して地上波放送を受信する受信手段とを備える移動可能な放送受信装置において、
移動経路及び移動速度を含む移動情報を受け付ける手段と、
出発地から移動を開始してからの経過時間を計時する計時手段と、
受け付けた前記移動情報及び計時した前記経過時間の関係に基づいて自位置を順次算出する算出手段と、
該算出手段にて算出した前記自位置と各受信エリアの位置情報とを比較して自位置が異なる受信エリアに遷移したか否かを判断する判断手段と、
該判断手段にて自位置が異なる受信エリアに遷移したと判断したとき、該受信エリア内で放送する放送局の識別コードを読み出す読出手段と
を備え、
前記受信手段は、前記読出手段にて読み出した識別コードに基づいて選局して地上波放送を受信するようにしてあることを特徴とする放送受信装置。
【請求項３】
前記判断手段にて自位置が異なる受信エリアに遷移したと判断したとき、その旨の通知を出力する手段を更に備えることを特徴とする請求項２に記載の放送受信装置。
【請求項４】
前記受信手段にて受信する地上波放送の電界強度を順次検出する手段と、
検出した電界強度と所定の強度との差が所定の閾値を超えるか否かを判断する手段と、
検出した電界強度と所定の強度との差が所定の閾値を超えると判断したとき、その旨を示す報知信号を出力する手段と
を備え、
前記判断手段は、該算出手段にて算出した前記自位置及び各受信エリアの位置情報の比較結果と前記報知信号の出力の可否との関係に基づいて自位置が異なる受信エリアに遷移したか否かを判断するようにしてあることを特徴とする請求項２又は３に記載の放送受信装置。
【請求項５】
出発地から移動を開始する開始時刻を受け付ける手段を更に備え、
前記計時手段は、受け付けた開始時刻からの経過時間を計時するようにしてあることを特徴とする請求項２乃至４の何れか１つに記載の放送受信装置。
【請求項６】
前記判断手段にて自位置が異なる受信エリアに遷移したと判断する都度、該受信エリアの位置情報を前記移動情報に対応付けて順次記憶するようにしてあることを特徴とする請求項２乃至５の何れか１つに記載の放送受信装置。
【発明の詳細な説明】
【技術分野】
【０００１】
本発明は、視聴者の移動に伴い、自位置が異なる受信エリアに遷移したとき、該受信エリア内で地上波放送を行う放送局の何れかを選局して地上波放送を受信するようにした放送受信方法及び放送受信装置に関する。
【背景技術】
【０００２】
従来、テレビジョン放送又はラジオ放送などの地上波放送を受信する受信装置を搭載した携帯電話機又は携帯情報端末（Personal Digital Assistants 、以下「ＰＤＡ」という。）などが市場に供給され、例えば、自動車又は列車などで移動しながら地上波放送を受信することが可能になった。
【０００３】
ところで、地上波放送の電波は、放送局又はその放送局の発信器から遠ざかるに従い電界強度が低下する。そのため、全国を区分けした各エリア内で所定の放送局が放送を行っている。従って、視聴者は、受信装置の受信位置が異なるエリアに遷移した場合、移動先のエリア内で放送を行う放送局を改めて選局する必要があり、操作負担を強いられた。また、選局操作を自動で実行する受信装置が提案されたが、当該受信装置は、全国の放送局から電界強度が高い放送の放送局を選局しているにすぎず、視聴者が所望する放送局を速やかに選局できない。
【０００４】
そこで、従来の受信装置と、移動端末装置が搭載するＧＰＳ（Global Positioning System ）又は基地局を利用した基地局検出ユニットとを組み合わせることで、現在位置を検出し、検出した位置で受信可能な放送に絞って選局することができる受信装置が提案された（例えば、特許文献１）。
【特許文献１】特開平６−１５２３３２号公報
【発明の開示】
【発明が解決しようとする課題】
【０００５】
特許文献１に記載された受信装置は、検出した位置で受信可能な放送に絞って選局することができるので、視聴者の操作負担を軽減すると共に選局の迅速化をはかることができた。しかしながら、特許文献１に記載された受信装置は、少なくともＧＰＳユニット又は基地局検出ユニット、受信ユニット及びこれらを同調するための制御ユニットが必要になるため、これらを搭載した移動端末装置は、大型になり携帯性が損なわれるという問題を有していた。また、装置の製造コストが高くなるという問題を有していた。また、ＧＰＳ又は基地局検出を利用した位置検出は、多くの電力を消費するため、位置検索を実行した移動端末装置は、地上波放送の視聴、通話及びメール送受信などの機能を使用できる時間が短くなるという問題を有していた。
【０００６】
本発明はかかる事情に鑑みてなされたものであり、その目的とするところは、移動可能な受信装置が、移動経路、移動速度及び移動開始からの経過時間の関係に基づいて自位置を算出し、算出した自位置が異なる受信エリアに遷移したと判断したとき、該受信エリア内で放送を行う放送局の識別コードを読み出し、読み出した識別コードに基づいて選局して地上波放送を受信することにより、従来のＧＰＳユニット又は基地局検出ユニットを用いることなく位置検出をして視聴者の操作負担及び選局の迅速化をはかると共に受信装置の大型化及びコスト高を抑止し、また、受信装置の消費電力を節約して使用可能時間の長期化をはかることができる放送受信方法及び放送受信装置を提供することにある。
【課題を解決するための手段】
【０００７】
上記課題を解決するために本発明に係る放送受信方法は、地上波放送の受信が可能な複数の受信エリアについて、各受信エリアの位置情報と該受信エリア内で放送を行う放送局の識別コードとを対応付けて予め記憶してある移動可能な受信装置で、移動先の受信エリア内で放送を行う放送局の識別コードに基づいて選局して地上波放送を受信する放送受信方法において、移動経路及び移動速度を含む移動情報を受け付け、受け付けた移動情報及び移動開始からの経過時間の関係に基づいて自位置を順次算出し、算出した自位置と各受信エリアの位置情報とを比較して自位置が異なる受信エリアに遷移したと判断したとき、該受信エリア内で放送を行う放送局の識別コードを読み出すことを特徴とする。
【０００８】
また、本発明に係る放送受信装置は、地上波放送の受信が可能な複数の受信エリアについて、各受信エリアの位置情報と該受信情報内で放送を行う放送局の識別コードとを対応付けて記憶する記憶手段と、移動した受信エリア内で放送を行う放送局の識別コードに基づいて選局して地上波放送を受信する受信手段とを備える移動可能な放送受信装置において、移動経路及び移動速度を含む移動情報を受け付ける手段と、出発地から移動を開始してからの経過時間を計時する計時手段と、受け付けた前記移動情報及び計時した前記経過時間の関係に基づいて自位置を順次算出する算出手段と、該算出手段にて算出した前記自位置と各受信エリアの位置情報とを比較して自位置が異なる受信エリアに遷移したか否かを判断する判断手段と、該判断手段にて自位置が異なる受信エリアに遷移したと判断したとき、該受信エリア内で放送する放送局の識別コードを読み出す読出手段とを備え、前記受信手段は、前記読出手段にて読み出した識別コードに基づいて選局して地上波放送を受信するようにしてあることを特徴とする。
【０００９】
また、本発明に係る放送受信装置は、前記判断手段にて自位置が異なる受信エリアに遷移したと判断したとき、その旨の通知を出力する手段を更に備えることを特徴とする。
【００１０】
また、本発明に係る放送受信装置は、前記受信手段にて受信する地上波放送の電界強度を順次検出する手段と、検出した電界強度と所定の強度との差が所定の閾値を超えるか否かを判断する手段と、検出した電界強度と所定の強度との差が所定の閾値を超えると判断したとき、その旨を示す報知信号を出力する手段とを備え、前記判断手段は、該算出手段にて算出した前記自位置及び各受信エリアの位置情報の比較結果と前記報知信号の出力の可否との関係に基づいて自位置が異なる受信エリアに遷移したか否かを判断するようにしてあることを特徴とする。
【００１１】
また、本発明に係る放送受信装置は、出発地から移動を開始する開始時刻を受け付ける手段を更に備え、前記計時手段は、受け付けた開始時刻からの経過時間を計時するようにしてあることを特徴とする。
【００１２】
更にまた、本発明に係る放送受信装置は、前記判断手段にて自位置が異なる受信エリアに遷移したと判断する都度、該受信エリアの位置情報を前記移動情報に対応付けて順次記憶するようにしてあることを特徴とする。
【００１３】
本発明にあっては、移動可能な受信装置が、例えば、視聴者が東海道新幹線、高速道路を走行する自動車などで移動することによる移動経路及び移動速度を含む移動情報を受け付け、受け付けた移動情報及び移動開始からの経過時間の関係に基づいて自位置を順次算出するので、当該受信装置は、位置検出のために従来のＧＰＳ又は基地局検出ユニットを搭載する必要がなく、装置の大型化及び装置のコスト高を抑止でき、装置の消費電力を節約できる。また、受信装置が算出した自位置が異なる受信エリアに遷移したと判断したときに該エリアで放送を行う放送局の識別コードを読み出すので、視聴者は、選局が必要になるタイミングで選局に必要な放送局の識別コードを得ることができる。また、特定の受信エリア内で放送を行う放送局の識別コードに基づいて選局するので、視聴者は、例えば、全国の放送局から選局する場合に比し、所望する放送局を速やかに選局することができる。
【００１４】
また、本発明にあっては、受信装置の受信位置が異なる受信エリアに遷移したとき、その旨を視聴者に通知するので、視聴者は選局が必要になるタイミングを的確に知ることができる。
【００１５】
また、本発明にあっては、受信装置が受信する放送の電界強度が変化したとき、その旨を示す報知信号の出力可否を加味して自位置が異なる受信エリアに遷移したか否かを判断するので、例えば、電界強度が低下していなければ受信エリアの遷移を判定しないようにして放送受信装置の処理負担を軽減することができる。
【００１６】
また、本発明にあっては、移動開始のタイミングを予め設定しておくことができ放送受信方法を確実に実行させることができる。
【００１７】
また、本発明にあっては、例えば、同じ移動経路を同じ移動速度で移動する場合、過去に記憶した履歴に基づいて受信位置の遷移を検出することができる。
【発明の効果】
【００１８】
本発明にあっては、放送受信装置に対して装置の大型化及び装置のコスト高を抑止でき、装置の消費電力を節約できる。また、視聴者が選局が必要になるタイミングを脱することなく選局に必要な放送局の識別コードを得ることができる。また、視聴者が所望する放送局を速やかに選局することができる。
【発明を実施するための最良の形態】
【００１９】
以下、本発明に係る放送受信方法及び放送受信装置について、実施の形態を示す図面に基づいて説明する。図１は本発明に係る放送受信装置の構成を示すブロック図、図２は本発明に係る放送受信装置の外観を示す模式図である。本発明に係る放送受信装置は、チューナ１１、ＲＡＭ１２、ＲＯＭ１３、変調部１４、画像出力制御部１５、音声出力制御部１６、入力制御部１７、タイマ１８及び制御部１９により構成されている。また、各装置は、バス１０により接続されている。
【００２０】
チューナ１１は、電波を受信するための受信手段であり、アンテナ１１１を介して電波を受信する同調装置である。チューナ１１は、制御部１９からの選局指示に応じて放送局の識別コードを選択し、選択した識別コードに基づく電波を受信する。また、チューナ１１は、受信する地上波放送の電界強度を検出する検出手段であり、検出した電界強度と所定の強度との差が所定の閾値を超えるか否かを判断し、当該差が所定の閾値を超えると判断したときに報知信号を出力する手段である。尚、所定の強度及び所定の閾値のデータ（図示せず）は、ＲＯＭ１３に記憶してある。
【００２１】
ＲＡＭ１２は、ＳＲＡＭ又はフラッシュメモリなどの半導体素子を用いて電気的に記憶するための装置である。ＲＡＭ１２には、例えば、ＲＯＭ１３から読み出されたプログラム及び当該プログラムを実行したときに生じる各種データが記憶される。
【００２２】
ＲＯＭ１３は、マスクＲＯＭ又はＥＰＲＯＭなどの半導体素子を用いて電気的に記憶するための装置である。ＲＯＭ１３には、エリア別選局情報テーブルＴ1 、エリア情報テーブルＴ2 、ルート情報テーブルＴ3 、移動手段情報テーブルＴ4 及びプログラムが記憶されている。ＲＯＭ１３は、制御部１９の指示に従い各種テーブル内のデータ及びプログラムなどを読み出してＲＡＭ１２へ送信する。尚、ＲＯＭ１３内のエリア別選局情報テーブルＴ1 、エリア情報テーブルＴ2 、ルート情報テーブルＴ3 及び移動手段情報テーブルＴ4 の格納例については後述する。また、ＲＯＭ１３内のプログラムは、例えば、本発明に係る放送受信方法を実行するためのプログラムが該当する。また、ＲＯＭ１３は、データなどを書き込みして記憶することができる。
【００２３】
変調部１４は、チューナ１１で受信した電波を音声・映像信号に変調するための装置である。変調部１４は、制御部１９の指示に従い変調した音声・映像信号を画像出力制御部１５及び音声出力制御部１６へ送信する。
【００２４】
画像出力制御部１５は、モニタ１５１に接続してあり、変調部１４から送信された映像信号に基づく映像をモニタ１５１上に表示させるための装置である。モニタ１５１は、液晶素子が組み込まれた液晶のディスプレイである。尚、モニタ１５１は、加圧式入力装置であるタッチパネル（図示せず）を備えてもよい。その結果、視聴者は、ボタンを押下することなく、画面上の映像をスタイラスペンなどの操作棒を用いてタッチすることでデータの入力を行うことができる。
【００２５】
音声出力制御部１６は、スピーカ１６１に接続してあり、変調部１４から送信された音声信号に基づく音声をスピーカ１６１から出力させるための装置である。                   
【００２６】
入力制御部１７には、各種ボタンが接続されている。入力制御部１７は、接続するボタンが押下されることにより生じる信号を情報として受け付け、受け付けた情報をＲＡＭ１２へ送信する。送信された情報はＲＡＭ１２に記憶される。各種ボタンには、エリア切替ボタン１７１、十字ボタン１７２、決定ボタン１７３、メニューボタン１７４及び戻りボタン１７５がある。エリア切替ボタン１７１は、エリア別選局情報の更新要求を入力するためのボタンである。エリア切替ボタン１７１が押下される都度エリア別選局情報は更新される。また、エリア切替ボタン１７１が長く（例えば、２秒以上）押下されたとき、エリア別選局情報は更新前の状態に戻される。十字ボタン１７２は、モニタ１５１に表示された各種情報の選択を入力するためのボタンである。決定ボタン１７３は、十字ボタン１７２で選択された各種情報の決定を入力するためのボタンである。メニューボタン１７４は、モニタ１５１上に各種情報を表示させる要求を入力するためのボタンである。戻りボタン１７５は、入力直前の状態に戻す要求を入力するためのボタンである。
【００２７】
タイマ１８は、制御部１９からの指示に応じて計時を開始し、計時した時間を制御部１９へ送信する。タイマ１８は、例えば、出発地から移動を開始してからの経過時間を計時し、所定のタイミングで計時した時間を制御部１９へ送信する。
【００２８】
制御部１９は、上述した放送受信装置内の各部を制御する。また、制御部１９は、ＲＡＭ１２に記憶してあるプログラムに従い所定の処理を実行し、本発明に係る放送受信方法を実行する。制御部１９が実行する処理の手順については後述する。
【００２９】
次に、ＲＯＭ１３内に記憶してある各種テーブルについて説明する。図３はエリア別選局情報テーブルＴ1 の格納例を示す模式図である。エリア別選局情報テーブルＴ1 は、受信エリア内で放送を行う放送局の識別コード、即ち、エリア別選局情報を格納するための一覧であり、受信エリア毎に一つのテーブルが存在する。エリア別選局情報テーブルＴ1 は、「放送局名」、「チャンネル数」及び「周波数」のフィールドを有する。放送局名フィールドには、受信エリア内で放送を行う放送局の名称が格納されている。また、チャンネル数フィールドには、放送が使用している周波数の帯域に付けられた番号が格納されている。また、周波数フィールドには、放送が使用している周波数の帯域が格納されている。また、受信エリアは、放送局が放送する地上波放送を受信することができる領域であり、例えば、電波法令で規定される地上１０メートルの高さで送信所からの放送波の電界強度が１ｍＶ／ｍ以上得られる「放送区域」を指す。電波法令で規定された受信エリアとして、例えば、「東京タワーエリア」、「宇都宮」、「矢板」及び「白河」などがある。尚、受信エリア内にあっても、地形やビルなどの影響によって電波が遮られる場合や電波の伝搬状況により、視聴できない場合がある。また、上述したテーブルは、放送受信装置の工場出荷時にＲＯＭ１３内に記憶されているが、視聴者により更新される場合もある。
【００３０】
図４はエリア情報テーブルＴ2 の格納例を示す模式図である。エリア情報テーブルＴ2 には、受信エリアのＩＤと当該受信エリア内に存在する駅又はインターチェンジ（ＩＣ）などのポイントとが対応して格納されている。図中は、Ｎｏ．１（東京タワーエリア）内に川口ＩＣがあり、Ｎｏ．２（宇都宮）内に宇都宮ＩＣがあり、Ｎｏ．３（矢板）内に矢板ＩＣがあり、Ｎｏ．４（白河）内に白河ＩＣがあることを示すエリア情報が格納されている一例を示す。
【００３１】
図５はルート情報テーブルＴ3 の格納例を示す模式図である。ルート情報テーブルＴ3 は、「ルート」、「通過エリア」及び「エリア間距離」のフィールドを有する。ルートフィールドには、例えば、東北新幹線、東北道又は上越新幹線などの視聴者の移動経路が格納されている。また、通過エリアフィールドには、移動経路上に存在する受信エリアのＩＤが格納されている。また、エリア間距離フィールドには、隣り合う受信エリアの中心地点間の距離が格納されている。図中は、東北道のルート上にＮｏ．１（東京タワーエリア）、Ｎｏ．２（宇都宮）、Ｎｏ．３（矢板）、Ｎｏ．４（白河）が存在し、Ｎｏ．１（東京タワーエリア）からＮｏ．２（宇都宮）までの距離が１００ｋｍであることを示すルート情報が格納されている一例を示す。
【００３２】
図６は移動手段情報テーブルＴ4 の格納例を示す模式図である。移動手段情報テーブルＴ4 は、「移動手段」及び「移動速度」のフィールドを有する。移動手段フィールドには、例えば、高速道路を移動する自動車、一般道路を移動する自動車、列車（新幹線）、列車（特急）又は列車（普通）などの移動手段が格納されている。また、移動速度フィールドには、移動手段で移動可能な平均的な速度が格納されている。図中は、高速道路を移動する自動車の移動速度が９０ｋｍ／ｈであることを示す移動手段情報が格納されている一例を示す。
【００３３】
次に、本発明に係る放送受信方法の概念について説明する。図７は本発明に係る放送受信方法の概念を説明するための模式図である。以下、移動経路として東北新幹線を利用する場合を一例として説明する。東北新幹線のルート上には東京駅、宇都宮駅、那須塩原駅及び新白河駅が存在する。まず、新幹線が出発地である東京駅に停車しているとき、放送受信装置は、東京タワーエリア（Ｎｏ．１）のエリア別選局情報から選局したＴＢＳ（２２ｃｈ）の地上波放送を受信する。そして、移動を開始してから２４分経過したとき、放送受信装置は、新幹線が宇都宮駅近傍を通過したと判断して受信エリアが遷移した旨の通知を出力し、視聴者からの切替要求に応じて宇都宮中継所エリア（Ｎｏ．２）のエリア別選局情報を読み出す。放送受信装置は、読み出した宇都宮中継所エリア（Ｎｏ．２）のエリア別選局情報内にＴＢＳ（１５ｃｈ）が存在することを確認して引き続きＴＢＳの地上波放送を受信する。更に１２分経過したとき、放送受信装置は、新幹線が那須塩原駅近傍を通過したと判断して受信エリアが遷移した旨の通知を出力し、視聴者からの切替要求に応じて矢板中継所エリア（Ｎｏ．３）のエリア別選局情報を読み出す。放送受信装置は、読み出した矢板中継所エリア（Ｎｏ．３）のエリア別選局情報内にＴＢＳ（１５ｃｈ）が存在することを確認して引き続きＴＢＳの地上波放送を受信する。更に約５分経過したとき、放送受信装置は、新幹線が新白河駅近傍を通過したと判断して受信エリアが遷移した旨の通知を出力し、視聴者からの切替要求に応じて白河中継所エリア（Ｎｏ．４）のエリア別選局情報を読み出す。放送受信装置は、読み出した白河中継所エリア（Ｎｏ．４）のエリア別選局情報内にＴＢＳが存在しないので予め設定してあるＮＨＫ総合（１５ｃｈ）の地上波放送を受信する。
【００３４】
次に、放送受信装置で実行する受信処理の手順について説明する。図８は放送受信装置で実行する受信処理の手順を示すフローチャートである。以下、出発時の受信処理の手順とその後の受信エリア遷移時の受信処理の手順とを一つのフローチャートで説明する。
【００３５】
出発時の受信処理において、放送受信装置の制御部１９は、電源がオンされたとき、モニタ１５１に起動画面（図示せず）を表示する。視聴者は、起動画面を介して現在の自位置（例えば川口ＩＣ）及び所望する放送局名（例えばＴＢＳ）を入力する。
【００３６】
制御部１９は、エリア情報テーブルＴ2 に基づき、受け付けた自位置に対応する受信エリア（例えば東京タワーエリア）を決定し、決定した受信エリアに対応するエリア別選局情報（例えば東京タワーエリア（Ｎｏ．１））をエリア別選局情報テーブルＴ1 から読み出す（Ｓ１０１）。
【００３７】
制御部１９は、読み出したエリア別選局情報の放送局名及び受け付けた放送局名（例えばＴＢＳ）を比較し（Ｓ１０２）、同一の放送局名があるか否かを判断する（Ｓ１０３）。その結果、制御部１９は、同一の放送局名がないと判断した場合（Ｓ１０３でＮＯ）、チューナ１１で選局して予め設定してある所定の放送電波（例えばＮＨＫ総合の放送電波）を受信し（Ｓ１０４）、次ステップＳ１０６へ移行する。
【００３８】
一方、制御部１９は、同一の放送局名があると判断した場合（Ｓ１０３でＹＥＳ）、チューナ１１で選局し、該当する放送電波（例えばＴＢＳの放送電波）を引き続き受信する（Ｓ１０５）。制御部１９は、ステップＳ１０１で読み出したエリア別選局情報（例えば東京タワーエリア（Ｎｏ．１））をＲＯＭ１３に記憶する（Ｓ１０６）。
【００３９】
制御部１９は、放送電波の受信中に視聴者の入力による終了要求を受け付けたか否かを判断し（Ｓ１０７）、終了要求を受け付けたと判断した場合（Ｓ１０７でＹＥＳ）、受信処理を終了する。
【００４０】
一方、制御部１９は、終了要求を受け付けていないと判断した場合（Ｓ１０７でＮＯ）、判定処理を実行する（Ｓ１０８）。尚、判定処理の手順については後述する。制御部１９は、判定処理の実行後、エリア遷移通知又は遷移判定をしない旨の通知をモニタ１５１又はスピーカ１６１を介して出力する。視聴者は、当該通知を確認してエリア別選局情報の更新要求を入力する。
【００４１】
制御部１９は、所定のタイミングで視聴者の入力によるエリア別選局情報の更新要求を受け付けたか否かを判断する（Ｓ１０９）。その結果、制御部１９は、エリア別選局情報の更新要求を受け付けたと判断した場合（Ｓ１０９でＹＥＳ）、ステップＳ１０１で読み出したエリア別選局情報を次のエリア別選局情報（例えば宇都宮中継所エリア）に更新し（Ｓ１１０）、ステップＳ１０１へ戻り、後述する受信エリア遷移時の受信処理を実行する。尚、次のエリア別選局情報への更新は、制御部１９がルート情報の通過エリア内に格納してある移動経路上に存在する受信エリアのＩＤの順に従って決定する。
【００４２】
受信エリア遷移時の受信処理において、制御部１９は、更新後のエリア別選局情報（例えば宇都宮中継所エリア）をエリア別選局情報テーブルＴ1 から読み出す（Ｓ１０１）。
【００４３】
制御部１９は、読み出した更新後のエリア別選局情報の放送局名及び受け付けた放送局名（例えばＴＢＳ）を比較し（Ｓ１０２）、同一の放送局名が更新後のエリア別選局情報内にあるか否かを判断する（Ｓ１０３）。その結果、制御部１９は、同一の放送局名がないと判断した場合（Ｓ１０３でＮＯ）、チューナ１１で選局して予め設定してある所定の放送電波（例えばＮＨＫ総合の放送電波）を受信し（Ｓ１０４）、次ステップＳ１０６へ移行する。
【００４４】
一方、制御部１９は、同一の放送局名があると判断した場合（Ｓ１０３でＹＥＳ）、チューナ１１で選局して該当する放送電波（例えばＴＢＳの電波放送）を引き続き受信する（Ｓ１０５）。制御部１９は、ステップＳ１０１で読み出した更新後のエリア別選局情報（例えば宇都宮中継所エリア）をＲＯＭ１３に記憶する（Ｓ１０６）。
【００４５】
制御部１９は、放送電波の受信中に視聴者の入力による終了要求を受け付けたか否かを判断し（Ｓ１０７）、終了要求を受け付けたと判断した場合（Ｓ１０７でＹＥＳ）、受信処理を終了する。
【００４６】
一方、制御部１９は、終了要求を受け付けていないと判断した場合（Ｓ１０７でＮＯ）、判定処理を実行する（Ｓ１０８）。尚、ステップＳ１０８以降の処理は上述した出発時の受信処理と同様であるから説明を省略する。
【００４７】
次に、放送受信装置がステップＳ１０８で実行する判定処理の手順について説明する。図９は放送受信装置で実行する判定処理の手順を示すフローチャート、図１０は放送受信装置で出力する移動情報入力画面の一例を示す模式図、図１１は放送受信装置で出力する報知画面の一例を示す模式図である。視聴者は、メニューボタン１７４で判定要求の入力画面を表示させ、表示した入力画面の情報を十字ボタン１７２及び決定ボタン１７３で選択することにより判定要求を入力する。
【００４８】
放送受信装置の制御部１９は、所定のタイミングで視聴者の入力による判定要求を受け付けたか否かを判断し（Ｓ２０１）、判定要求を受け付けていないと判断した場合（Ｓ２０１でＮＯ）、エリア遷移通知を出力することなく、遷移判定しない旨の通知を出力して判定処理を終了する。
【００４９】
一方、制御部１９は、判定処理を受け付けたと判断した場合（Ｓ２０１でＹＥＳ）、モニタ１５１に移動情報入力画面を出力する（図１０（ａ）乃至（ｃ）参照）。視聴者は、移動情報入力画面を介して移動情報（例えば出発地：宇都宮、ルート：東北新幹線、出発時刻：１２：００）を入力する。移動情報には、視聴者の出発地、視聴者の移動経路及び出発地から移動を開始する出発時刻が含まれる。
【００５０】
制御部１９は、所定のタイミングで視聴者の入力による移動情報を受け付けたか否かを判断し（Ｓ２０２）、移動情報を受け付けていないと判断した場合（Ｓ２０２でＮＯ）、エリア遷移通知を出力することなく、遷移判定しない旨の通知を出力して判定処理を終了する。
【００５１】
一方、制御部１９は、移動情報を受け付けたと判断した場合（Ｓ２０２でＹＥＳ）、受け付けた移動情報に対応するエリア情報、ルート情報及び移動手段情報をＲＯＭ１３内のエリア情報テーブルＴ2 、ルート情報テーブルＴ3 及び移動手段情報テーブルＴ4 から読み出す（Ｓ２０３）。また、制御部１９は、タイマ１８に受け付けた出発時刻を計時させて当該出発時刻のときに判定開始要求を出力するようにさせる。
【００５２】
制御部１９は、タイマ１８から判定開始要求を受け付けた否かを判断し（Ｓ２０４）、判定開始要求を受け付けていないと判断した場合（Ｓ２０４でＮＯ）、エリア遷移通知を出力することなく、遷移判定しない旨の通知を出力して判定処理を終了する。尚、本実施の形態において、制御部１９は、タイマ１８から判定開始要求を受け付ける一例を説明しているが、これに限らず、視聴者により入力された判定開始要求を受け付けるようにしてもよい。
【００５３】
一方、制御部１９は、判定開始要求を受け付けたと判断した場合（Ｓ２０４でＹＥＳ）、モニタ１５１に複合判定モード要求の入力画面（図示せず）を出力する。視聴者は、当該入力画面を介して複合判定モード要求を入力する。尚、複合判定モードでは、受け付けた移動情報及び出発地から移動を開始してからの経過時間及び電界強度の関係に基づいて受信エリアの遷移を判定する。その他、単独判定モードでは、受け付けた移動情報及び出発地から移動を開始してからの経過時間の関係に基づいて受信エリアの遷移を判定する。
【００５４】
制御部１９は、所定のタイミングで視聴者の入力による複合判定モード要求を受け付けたか否かを判断し（Ｓ２０５）、複合判定モード要求を受け付けたと判断した場合（Ｓ２０５でＹＥＳ）、電界強度判定処理を実行する（Ｓ２０６）。
【００５５】
電界強度判定処理において、制御部１９は、チューナ１１で検出した放送電波の電界強度と所定の強度との差が所定の閾値を超えるか否かを判断し、当該差が所定の閾値を超えると判断したとき、強度低下信号を出力する。一方、制御部１９は、当該差が所定の閾値以下と判断したとき、強度低下信号を出力しない。
【００５６】
制御部１９は、電界強度判定処理の結果、所定のタイミングで強度低下信号を出力したか否かを判断し（Ｓ２０７）、強度低下信号を出力していないと判断した場合（Ｓ２０７でＮＯ）、ステップＳ２０６に戻り、電界強度判定処理を繰り返す。即ち、制御部１９は、地上波放送を問題なく受信できるので、エリア遷移についての最終的な判定まで実行しない。その結果、放送受信装置の処理負担を軽減することができる。
【００５７】
一方、制御部１９は、強度低下信号を出力したと判断した場合（Ｓ２０７でＹＥＳ）、時間判定処理を実行する（Ｓ２０８）。即ち、制御部１９は、地上波放送を受信できなくなる可能性が高いと判断し、エリア遷移についての最終的な判定まで実行する。
【００５８】
時間判定処理において、制御部１９は、例えば、読み出したエリア情報に基づき東北新幹線の宇都宮駅（Ｎｏ．２）からの移動先が那須塩原駅（Ｎｏ．３）であると判断し、読み出したルート情報に基づきエリア間距離が５０ｋｍであると判断し、読み出した移動手段情報から新幹線の移動速度が２５０ｋｍ／ｈと判断する。その結果、制御部１９は、タイマ１８で移動開始から１２分が経過したときに到達信号を出力させる。
【００５９】
制御部１９は、時間判定処理の結果、所定のタイミングで到達信号を出力したか否かを判断し（Ｓ２０９）、到達信号を出力していないと判断した場合（Ｓ２０９でＮＯ）、例えば、自位置が那須塩原駅近傍に到達しておらず、受信エリアが宇都宮中継所エリア（Ｎｏ．２）から矢板中継所エリア（Ｎｏ．３）へ遷移していないと判断した場合、ステップＳ２０６に戻り、電界強度判定処理から繰り返す。
【００６０】
一方、制御部１９は、到達信号を出力したと判断した場合（Ｓ２０９でＹＥＳ）、エリア遷移の判定を実行する（Ｓ２１０）。
【００６１】
エリア遷移判定において、制御部１９は、例えば、タイマ１８で移動開始から１２分が経過したとき、自位置が那須塩原駅近傍にあって受信エリアが宇都宮中継所エリア（Ｎｏ．２）から矢板中継所エリア（Ｎｏ．３）へ遷移していると判断し、エリアが遷移していると判定する。
【００６２】
制御部１９は、エリアが遷移していると判定したとき、エリア遷移通知を生成し、生成したエリア遷移通知（図１１参照）をモニタ１５１又はスピーカ１６１を介して出力し（Ｓ２１１）、制御部１９は、判定処理を終了する。
【００６３】
一方、ステップＳ２０５において複合判定モード要求を受け付けていないと判断した場合（Ｓ２０５でＮＯ）、時間判定処理を実行する（Ｓ２０８）。即ち、制御部１９は、単独判定モードでの処理を実行する。尚、単独判定モードでの処理の手順は、上述した複合判定モードでの処理の手順と同様であるから、その説明を省略する。
【００６４】
尚、上述した本実施の形態において、制御部１９は、電界強度判定処理及び時間判定処理を実行する「複合判定モード」と時間判定処理のみを実行する「単独判定モード」との選択を受け付ける一例を説明したが、これに限らず、電界強度判定処理のみを実行する「単独判定モード」を受け付けるようにしてもよい。
【００６５】
また、上述した本実施の形態において、エリア別選局情報テーブルＴ1 は、放送受信装置の工場出荷時にＲＯＭ１３内に記憶されている一例を説明したが、これに限らず、視聴者により更新されるようにしてもよい。この場合、いずれかの受信エリア内で電界強度の高い地上波放送を検出し、検出した地上波放送の周波数がエリア別選局情報内に格納されていないとき、視聴者の入力により周波数、放送局名及びチャンネル数を受け付けて格納する。
【００６６】
また、上述した本実施の形態において、制御部１９は、エリア遷移通知を出力し、視聴者により入力されたエリア別選局情報の更新要求に応じてエリア別選局情報の更新（切替）を実行する一例を説明したが、これに限らず、視聴者により入力されたエリア別選局情報の更新要求とは無関係にルート情報の通過エリア内に格納してある移動経路上に存在する受信エリアのＩＤの順に従い、次のエリア別選局情報へ自動的に更新するようにしてもよい。
【００６７】
また、上述した本実施の形態において、制御部１９は、視聴者が出力されたエリア遷移通知を確認したタイミングで入力したエリア別選局情報の更新要求を受け付ける一例を説明したが（Ｓ１１０参照）、これに限らず、制御部１９は、視聴者が任意のタイミングで入力したエリア別選局情報の更新要求の受け付けるようにしてもよい。例えば、視聴者は、自動車にて国道４号線を北上しようとする場合に移動情報として「出発地：宇都宮、ルート：東北新幹線」を入力する。尚、本実施例では時間判定処理を実行しないので、視聴者は、出発時刻を入力する必要がない。
【００６８】
制御部１９は、当該移動情報の入力を受け付けたとき、エリア別選局情報（宇都宮中継エリア）をエリア別選局情報テーブルＴ1 から読み出す。視聴者は、任意のタイミングでエリア別選局情報の更新要求を入力する。制御部１９は、当該更新要求の入力を受け付けたとき、東北新幹線の移動経路上に存在する受信ＩＤに従って次のエリア別選局情報（例えば矢板中継所エリア）に更新する。このように、視聴者は、実際のルートとは類似するルートを入力しておき、当該ルートに基づいて、本発明の放送受信方法を実行することができる。
【００６９】
尚、制御部１９は、視聴者が任意のタイミングで入力されたエリア別選局情報の更新要求を受け付けるか、又は視聴者が出力されたエリア遷移通知を確認したタイミングで入力されたエリア別選局情報の更新要求を受け付けるかを、視聴者のモード選択に応じて処理するようにしてもよい。
【図面の簡単な説明】
【００７０】
【図１】本発明に係る放送受信装置の構成を示すブロック図である。
【図２】本発明に係る放送受信装置の外観を示す模式図である。
【図３】エリア別選局情報テーブルの格納例を示す模式図である。
【図４】エリア情報テーブルの格納例を示す模式図である。
【図５】ルート情報テーブルの格納例を示す模式図である。
【図６】移動手段情報テーブルの格納例を示す模式図である。
【図７】本発明に係る放送受信方法の概念を説明するための模式図である。
【図８】放送受信装置で実行する受信処理の手順を示すフローチャートである。
【図９】放送受信装置で実行する判定処理の手順を示すフローチャートである。
【図１０】放送受信装置で出力する移動情報入力画面の一例を示す模式図である。
【図１１】放送受信装置で出力する報知画面の一例を示す模式図である。
【符号の説明】
【００７１】
１０  バス
１１  チューナ
１１１  アンテナ
１２  ＲＡＭ
１３  ＲＯＭ
１４  変調部
１５  画像出力制御部
１５１  モニタ
１６  音声出力制御部
１６１  スピーカ
１７  入力制御部
１７１  エリア切替ボタン
１７２  十字ボタン
１７３  決定ボタン
１７４  メニューボタン
１７５  戻りボタン
１８  タイマ
１９  制御部
【図１】
2008271144.tif 000003
【図２】
2008271144.tif 000004
【図３】
2008271144.tif 000005
【図４】
2008271144.tif 000006
【図５】
2008271144.tif 000007
【図６】
2008271144.tif 000008
【図７】
2008271144.tif 000009
【図８】
2008271144.tif 000010
【図９】
2008271144.tif 000011
【図１０】
2008271144.tif 000012
【図１１】
2008271144.tif 000013